(57)【要約】【課題】厚肉に製造されるコーナーピースを使用するのにも拘らず、外枠外方に突出する部分がないので収納等の取扱いが便利であると共に設置時に作業者が接触して変形させることがなく、隣接する外枠部材相互の接続強度を高めることが可能な天井点検口の外枠を提供すること。【解決手段】斜截した隣接する外枠部材３，３相互の隣接端を接合するコーナーピース１１は、隣接するそれぞれの外枠部材における上嵌合溝１５及び下嵌合溝１６に密嵌状態で嵌合される両翼部１９と両翼部を直角に接続する弧状部２０とを有し、弧状部は上側鉤状縁における下端縁２１と下側鉤状縁における上端縁２２とに当接し、弧状部の外周は、上側鉤状縁及び下側鉤状縁の外面を越えない範囲とされるものである。【選択図】図５
2007120233.tif 000002
【特許請求の範囲】
【請求項１】
４本の外枠部材を方形状に枠組みした天井点検口の外枠において、該外枠部材断面は、下方に天井材の端部側面に当接する下縦板部と、該下縦板部上端に連続して該天井材の端部上面に近接する外向きの段部と、該段部の外側から上方に延びる上縦板部と、該上縦板部の外側面に上下対向する上嵌合溝と下嵌合溝とをそれぞれ形成する上側鉤状縁と下側鉤状縁とを有し、斜截した隣接する該外枠部材相互の隣接端を接合するコーナーピースは、隣接するそれぞれの外枠部材における該上嵌合溝及び該下嵌合溝に密嵌状態で嵌合される両翼部と該両翼部を直角に接続すると共に該両翼部から外方に広がる弧状部とを有し、該弧状部の高さは該上側鉤状縁における下端縁と該下側鉤状縁における上端縁とに当接する間隔とされ、該弧状部の外周は、該コーナーピースの該両翼部が隣接する該外枠部材それぞれに嵌合して該弧状部が該上側鉤状縁における該下端縁と該下側鉤状縁における該上端縁とに当接した場合に、該上側鉤状縁及び該下側鉤状縁の外面を越えない範囲とされ、隣接する該外枠部材それぞれに嵌合した該コーナーピースの該両翼部は該外枠部材それぞれにおける該上縦板部に固着されることを特徴とする天井点検口の外枠。
【請求項２】
前記外枠部材の前記下縦板部の高さは前記上縦板部材の高さより充分大きいことを特徴とする請求項１記載の天井点検口の外枠。
【請求項３】
前記下縦板部は、上側の天井下地材と下側の天井仕上げ材とを重ね合せた天井材の側面に当接する高さを有することを特徴とする請求項１または請求項２記載の天井点検口の外枠。
【発明の詳細な説明】
【技術分野】
【０００１】
本発明は、天井点検口の外枠、特に隣接する外枠相互の接続に特徴を有する天井点検口の外枠に関する。
【背景技術】
【０００２】
天井下地材に天井仕上げ材を重ね合わせた天井材が使用されると共に、天井点検口の外枠と内枠の下縁の幅がいずれも細く形成され、内枠と外枠の間に目透かし状の目地を現出する天井点検口が知られている。このような天井点検口における外枠部材は、厚い天井板を単に直截した直線状の端面に外枠部材側部を密着できる製品が天井板の加工の点からも希望される。しかしながら厚い天井板を密着できる外枠部材は天井板厚さ分の部材高さを必要とする一方、外枠部材全体の高さは天井点検口の開閉動作上の点、点検口箇所の作業空間が狭くなる点、製造費用上の点から制限されるので、相対的に同一面に設けられる隣接する外枠部材相互を連結固定するためのコーナーピースを設置する高さが削られることになる。したがってコーナーピース自体の高さも低くしなければならないから、充分な連結強度を保持するためにコーナーピースは厚肉にしなければならない。
【０００３】
隣接する外枠部材それぞれに嵌合して連結する厚肉のコーナーピースを製造するためには厚肉材料を直角に折り曲げなければならないが、厚肉のために小さい半径で曲成することは出来ず、大きい半径即ち弧状に曲成しなければならない。弧状部を有する接続金具はこの種の技術で従来知られているが（例えば、特許文献１参照。）、この例で見られる接続金具は、比較的薄い材料で形成されており、更に弧状部は比較的大半径で、設置時に弧状部が隣接する外枠部材からはみ出してしまう状態となるので、梱包時にはみ出した弧状部分を収納するための余分なスペースを必要とし、また設置作業時に、はみ出した弧状部分に接触して変形させることにより隣接する外枠部材相互の連結状態がずれて外枠を歪めてしまったりする。またこの例では弧状部分が比較的長くなるために連結部分の強度は低下するから、隣接する外枠部材相互の端部が分離してしまう虞もある。
【０００４】
【特許文献１】実公平２−４９３０４号公報
【発明の開示】
【発明が解決しようとする課題】
【０００５】
本発明が解決しようとする課題は、前記した欠点を改良し、厚肉に製造されるコーナーピースを使用するのにも拘らず、外枠外方に突出する部分がないので収納等の取扱いが便利であると共に設置時に作業者が接触して変形させることがなく、隣接する外枠部材相互の接続強度を高めることが可能な天井点検口の外枠を提供することにある。
【課題を解決するための手段】
【０００６】
前記課題を解決するために本発明に係る天井点検口の外枠は、４本の外枠部材を方形状に枠組みした天井点検口の外枠において、該外枠部材断面は、下方に天井材の端部側面に当接する下縦板部と、該下縦板部上端に連続して該天井材の端部上面に近接する外向きの段部と、該段部の外側から上方に延びる上縦板部と、該上縦板部の外側面に上下対向する上嵌合溝と下嵌合溝とをそれぞれ形成する上側鉤状縁と下側鉤状縁とを有し、斜截した隣接する該外枠部材相互の隣接端を接合するコーナーピースは、隣接するそれぞれの外枠部材における該上嵌合溝及び該下嵌合溝に密嵌状態で嵌合される両翼部と該両翼部を直角に接続すると共に該両翼部から外方に広がる弧状部とを有し、該弧状部の高さは該上側鉤状縁における下端縁と該下側鉤状縁における上端縁とに当接する間隔とされ、該弧状部の外周は、該コーナーピースの該両翼部が隣接する該外枠部材それぞれに嵌合して該弧状部が該上側鉤状縁における該下端縁と該下側鉤状縁における該上端縁とに当接した場合に、該上側鉤状縁及び該下側鉤状縁の外面を越えない範囲とされ、該コーナーピースはすべて該外枠部材の外側にはみ出すことがなく、該コーナーピースの上下面は殆ど該外枠部材内に拘束されるので接続強度を高めるものである。
【発明の効果】
【０００７】
本発明は、次のような効果を奏する。
Ａ．コーナーピースの両翼部のそれぞれが各外枠部材の上嵌合溝と下嵌合溝との間に完全に挿入されると、隣接する外枠部材の斜截した端部は当接され、コーナーピースの両翼部のそれぞれは各外枠部材の上嵌合溝及び下嵌合溝に密嵌状態で嵌合されると共に、コーナーピースの弧状部の上下縁は隣接する外枠部材のそれぞれの上側鉤状縁における下端縁と下側鉤状縁における上端縁とに当接するから、コーナーピースの両翼部及び弧状部の周囲は隣接する外枠部材に拘束され、コーナーピースの高さが低くても、接続部に作用する剪断応力、曲げ応力、捻り応力に対する抵抗が増加し、外枠に歪みを生じさせない。
Ｂ．外枠部材とコーナーピースが固着されると接続部に作用する各方向の応力に対し充分な抵抗性を得ることができる。
Ｃ．コーナーピースの弧状部は最小の外周で接続具としての長さを短く作成されるから、小断面でも接続具としての強度を充分保持することが出来る。
Ｄ．コーナーピースの弧状部外周は、上側鉤状縁及び下側鉤状縁の外面を越えない範囲に収容されて外方には突出しないから、枠組みされた外枠の梱包を容易にすると共に、天井点検口設置作業中にコーナーピースに作業者が接触して外枠を歪めたり、接続状態を悪化させたりすることがない。
【発明を実施するための最良の形態】
【０００８】
本発明に係る天井点検口の外枠は、４本の外枠部材を方形状に枠組みした天井点検口の外枠において、該外枠部材断面は、下方に天井材の端部側面に当接する下縦板部と、該下縦板部上端に連続して該天井材の端部上面に近接する外向きの段部と、該段部の外側から上方に延びる上縦板部と、該上縦板部の外側面に上下対向する上嵌合溝と下嵌合溝とをそれぞれ形成する上側鉤状縁と下側鉤状縁とを有し、斜截した隣接する該外枠部材相互の隣接端を接合するコーナーピースは、隣接するそれぞれの外枠部材における該上嵌合溝及び該下嵌合溝に密嵌状態で嵌合される両翼部と該両翼部を直角に接続すると共に該両翼部から外方に広がる弧状部とを有し、該弧状部の高さは該上側鉤状縁における下端縁と該下側鉤状縁における上端縁とに当接する間隔とされ、該弧状部の外周は、該コーナーピースの該両翼部が隣接する該外枠部材それぞれに嵌合して該弧状部が該上側鉤状縁における該下端縁と該下側鉤状縁における該上端縁とに当接した場合に、該上側鉤状縁及び該下側鉤状縁の外面を越えない範囲とされ、隣接する該外枠部材それぞれに嵌合した該コーナーピースの該両翼部は該外枠部材それぞれにおける該上縦板部に固着されることを特徴とする。
【０００９】
また本発明に係る天井点検口の外枠において、前記外枠部材の前記下縦板部の高さは前記上縦板部材の高さより充分大きいことを特徴とする。
【００１０】
更に本発明に係る天井点検口の外枠において、前記下縦板部は、上側の天井下地材と下側の天井仕上げ材とを重ね合せた天井材の側面に当接する高さを有することを特徴とする。
【実施例】
【００１１】
本発明の実施例について添付図面を参照して説明する。
図１及び図２には本発明にかかる天井点検口の外枠が採用された天井が示されている。天井支持部材１に懸架された吊り金具２には、４本の外枠部材３を方形に枠組した天井点検口の外枠４が取付けられている。外枠４内には同様に４本の内枠部材５を枠組した内枠６が嵌合されており、対向する外枠部材３，３から内方に突設された回転軸７を対向する内枠部材５，５に設けられた長孔８に遊嵌させることにより、外枠４内に内枠６が開閉自在に支持されている。実施例の天井点検口は外見上目透かし状の目地を現出するように外枠部材３の下端縁及び内枠部材５の下縁はいずれも薄く形成され、外枠部材３の薄い下縁は天井材９に接して、また内枠部材５の薄い下縁は内枠天井材１０に接して設置されている。そして天井材９は上側の天井下地材９ａの下面に天井仕上げ材９ｂを重ね合せて使用されているために可成りの厚みを有する。厚い天井材９を使用した天井に天井点検口を設置する場合にも、まず天井材９に設置用開口を得るための切断を行わなければならないが、既設の天井における厚い天井材９の切断は全体を一気に直線的に切断する方法が望ましい。
【００１２】
本発明はこのような厚い天井材９の直線状の切断面が外枠部材３に直接当接する場合に適した外枠部材３を提供するものである。前述したように外枠部材３全体の高さは天井点検口の開閉動作上の点、点検口箇所の作業空間が狭くなる点、製造費用上の点から制限されるので、厚い天井材９が当接する外枠部材３の下方部分の高さが大きくなると相対的に同一面に設けられる隣接する外枠部材３，３相互を連結固定するためのコーナーピース１１を設置する高さが削られることになる。そこで本発明では比較的低い高さでも充分な連結強度を保持するために厚肉のコーナーピース１１を使用することとし、曲成した高さの低い厚肉のコーナーピース１１を採用することによって生ずる問題点を解決して完成させたものである。
【００１３】
即ち、外枠４は軽金属で製造される４本の外枠部材３を枠組して構成されるが、外枠部材３の断面は、図２及び図３に示されるように、下方に天井材９の端部側面に当接する下縦板部１２と、この下縦板部１２上端に連続して天井材９の端部上面に当接する外向きの段部１３と、この段部１３の外側から上方に延びる上縦板部１４と、上縦板部１４の外側面に上下対向する上嵌合溝１５と下嵌合溝１６とをそれぞれ形成する上側鉤状縁１７と下側鉤状縁１８とを有する。そして図示のように下縦板部１２の高さは厚い天井材９を当接するために上縦板部１４の高さよりも大きく形成されている。図３乃至図５に示されるとおり、外枠４の枠組を行う場合には、隣接する外枠部材３，３が相互に直角に接合されるように外枠部材３の端部は縦方向に斜截される。斜截した隣接する外枠部材３，３相互の隣接端を接合するコーナーピース１１は、比較的厚みのある金属材で形成され、隣接するそれぞれの外枠部材３における上嵌合溝１５及び下嵌合溝１６に密嵌状態で嵌合される両翼部１９とこの両翼部１９を直角に接続すると共に両翼部１９から外方に広がる弧状部２０とを有し、この弧状部２０の高さは上側鉤状縁１７における下端縁２１と下側鉤状縁１８における上端縁２２とに当接する間隔とされる。そして図４に示されるように、弧状部２０の外周は、コーナーピース１１の両翼部１９が隣接する外枠部材３，３それぞれに嵌合して弧状部２０が上側鉤状縁１７における下端縁２１と下側鉤状縁１８における上端縁２２とに当接した場合に、上側鉤状縁１７及び下側鉤状縁１８の外面を越えない範囲とされる。
【００１４】
隣接する外枠部材３，３を接続するには、コーナーピース１１の両翼部１９のそれぞれを各外枠部材３の上嵌合溝１５と下嵌合溝１６との間に挿入する。完全に挿入されると隣接する外枠部材３，３の斜截した端部は当接され、コーナーピース１１の両翼部１９のそれぞれは各外枠部材３の上嵌合溝１５及び下嵌合溝１６に密嵌状態で嵌合されると共に、コーナーピース１１の弧状部２０の上下縁は隣接する外枠部材３，３のそれぞれの上側鉤状縁１７における下端縁２１と下側鉤状縁１８における上端縁２２とに当接する。そして弧状部２０の外周は、上側鉤状縁１７及び下側鉤状縁１８の外面を越えない範囲に収容され、外方には突出しない。この状態でコーナーピース１１の両翼部１９及び外枠部材３，３に穿孔された透孔２３にリベット２４を打設して接続が完成される。なおリベット接合に換えて抜け止プレスやその他の接合方法も採用することが出来る。両翼部１９と各外枠部材３が固着されると、各外枠部材３からコーナーピース１１が抜出すことがない。
【００１５】
前記したように、本発明では、コーナーピース１１の両翼部１９のそれぞれが各外枠部材３の上嵌合溝１５と下嵌合溝１６との間に完全に挿入されると、隣接する外枠部材３，３の斜截した端部は当接され、コーナーピース１１の両翼部１９のそれぞれは各外枠部材３の上嵌合溝１５及び下嵌合溝１６に密嵌状態で嵌合されると共に、コーナーピース１１の弧状部２０の上下縁は隣接する外枠部材３，３のそれぞれの上側鉤状縁１７における下端縁２１と下側鉤状縁１８における上端縁２２とに当接するから、コーナーピース１１の両翼部１９及び弧状部２０の周囲は隣接する外枠部材３，３に拘束され、コーナーピース１１の高さが低くても、接続部に作用する剪断応力、曲げ応力、捻り応力に対する抵抗が増加し、外枠４に歪みを生じさせない。また外枠部材３とコーナーピース１１が固着されると接続部に作用する各方向の応力に対し充分な抵抗性を得ることができる。更にコーナーピース１１の弧状部２０は最小の外周で接続具としての長さを短く作成されるから、小断面で接続具としての強度を保持することが出来る。また弧状部２０の外周は、上側鉤状縁１７及び下側鉤状縁１８の外面を越えない範囲に収容されて外方には突出しないから、枠組みされた外枠４の梱包を容易にすると共に、天井点検口設置作業中に作業者がコーナーピース１１に接触して外枠４を歪めたり、接続状態を悪化させたりすることがない。
【図面の簡単な説明】
【００１６】
【図１】本発明にかかる天井点検口の外枠を適用した天井点検口を示す部分斜視図である。
【図２】同様に天井点検口の縦断面図である。
【図３】天井点検口の隅部を示す部分斜視図である。
【図４】天井点検口の部分水平断面図である。
【図５】天井点検口の外枠隅部を示す分解斜視図である。
【符号の説明】
【００１７】
３  外枠部材
４  外枠
５  内枠部材
６  内枠
９  天井材
９ａ  天井下地材
９ｂ  天井仕上げ材
１１  コーナーピース
１２  下縦板部
１３  段部
１４  上縦板部
１５  上嵌合溝
１６  下嵌合溝
１７  上側鉤状縁
１８  下側鉤状縁
１９  両翼部
２０  弧状部
２１  下端縁
２２  上端縁
【図１】
2007120233.tif 000003
【図２】
2007120233.tif 000004
【図３】
2007120233.tif 000005
【図４】
2007120233.tif 000006
【図５】
2007120233.tif 000007